(57)【要約】【課題】  カバー部材の加工性や組立性の向上を図るとともにレンズ駆動機構が安定して動作されるようにして小型、薄型化と軽量化とを実現する。【解決手段】  レンズユニット５やレンズ駆動機構６が組み付けられ、各コーナ部に係合凸部１９を設けた間隔保持部１６を形成したホルダ部材３と、レンズユニット５を外方に臨ませる受け面部４１の各コーナ部に係合開口部４６を設けたフック片４２を形成したカバー部材４とを備え、カバー部材４がホルダ部材３に対して、各フック片４２を各間隔保持部１６の外側面に沿って押し込むことによって係合開口部４６に相対する係合凸部１９がそれぞれ係合することによって一体に組み合わされる。【選択図】  図１
2006284628.tif 000002
【特許請求の範囲】
【請求項１】
レンズユニットと、前記レンズユニットを組み付ける本体部と、この本体部の外周部に一体に形成されたフランジ部とからなる駆動リング部材と、
前記駆動リング部材の本体部に組み合わされてこの駆動リング部材を回動させるリング部と、このリング部から一体に突出されてレンズ駆動手段と連結されるレバー部とから構成され、前記レンズユニットを前記レンズの光軸方向に移動させてフォーカス調整を行う駆動レバー部材と、
前記レンズユニットを光軸方向に移動自在に収納するレンズユニット組み付け開口が厚み方向に貫通して形成されるとともに前記駆動レバー部材のリング部を回動自在に支持する本体部と、この本体部の一方主面側に所定の高さを以って一体に形成されるとともに外周部にそれぞれ係合凸部が形成された複数個の間隔保持部とからなるホルダ部材と、
前記ホルダ部材を固定するとともに固体撮像素子を収納したベース部材と、
前記レンズユニットを外方に臨ませる開口部が形成された枠状の受け面部と、この受け面部の各コーナ部に位置して軸方向に折曲形成されそれぞれ前記ホルダ部材の前記各係合凸部に対応して先端部に係合開口部を形成したフック片が一体に突出形成されるとともに、前記開口部の開口縁に前記フランジ部に当接される複数の押圧片が一体に形成された弾性材によって形成されたカバー部材とを備え、
前記カバー部材が前記ホルダ部材に対して、前記各フック片を前記各間隔保持部の外側面に沿って押し込むことによって前記係合開口部に相対する前記係合凸部がそれぞれ係合することによって一体に組み合わされ、前記各押圧片が前記フランジ部に当接して前記駆動リング部材を介して前記レンズユニットを前記ホルダ部材側に付勢することを特徴とするカメラモジュール。
【請求項２】
前記カバー部材に、前記受け面部の外周縁から一体に折曲形成されて前記各フック片の外側面に当接する変形防止片が設けられていることを特徴とする請求項１に記載のカメラモジュール。
【請求項３】
前記カバー部材に、前記受け面部の各辺に外周縁から前記フック片と隣り合うようにしてそれぞれ位置決め片が一体に折曲形成されていることを特徴とする請求項１又は請求項２に記載のカメラモジュール。
【請求項４】
前記カバー部材が、前記受け面部の各辺に全周に亘って補強リブ壁を折曲形成されることを特徴とする請求項１乃至請求項３のいずれか１項に記載のカメラモジュール。
【請求項５】
少なくとも前記カバー部材が、電磁波を遮蔽する電磁波遮蔽機能を有していることを特徴とする請求項１乃至請求項３のいずれか１項に記載のカメラモジュール。
【請求項６】
前記レンズユニットが、複数のレンズと、これらレンズを収納するとともに外周部に外周ねじが形成されたレンズ鏡筒とを有し、
前記外周ねじを、前記駆動リング部材の前記筒状部の内周部に形成した内周ねじにねじ合わされることによって組み付けられることを特徴とする請求項１乃至請求項５のいずれか１項に記載のカメラモジュール。
【発明の詳細な説明】
【技術分野】
【０００１】
本発明は、カメラモジュールに関し、さらに詳しくはデジタルカメラや携帯電話機等のカメラ付き小型電子機器に用いることができるカメラモジュールに関する。
【背景技術】
【０００２】
デジタルカメラや携帯電話機等の小型電子機器には、小型のデジタルカメラを搭載したものが多く提供されている。デジタルカメラは、複数のレンズと固体撮像素子（ＣＭＯＳ：Ｃｏｍｐｌｅｍｅｎｔａｒｙ Ｍｅｔａｌ  Ｏｘｉｄｅ  Ｓｅｍｉｃｏｎｄｕｃｔｏｒ）とを一体化するとともに、オートフォーカスやズームを目的としてレンズを光軸方向に移動させるレンズ駆動機構も備えられる。
【０００３】
デジタルカメラは、従来、例えばレンズ駆動機構の構成部材をそれぞれ個別にホルダ部材に組み合わせて構成していたが、構成部材が多いために小型、薄型化の実現が困難であった。また、従来のデジタルカメラは、組立工程が面倒であるとともに、組立精度のバラツキにより安定した特性が得られないといった問題もあった。
【０００４】
このため、デジタルカメラにおいては、図６乃至図９に示すように構成部材を組み合わせたホルダ部材１０１にカバー部材１０２を組み合わせてカメラモジュール１００を構成することにより、上述した問題の解決が図られている。カメラモジュール１００は、ホルダ部材１０１にレンズユニット１２０やレンズ駆動機構１３０を構成する部材等を適宜組み付けるとともに、図７に示すようにカバー部材１０２によってこれら各部材を保持するように構成していた。
【０００５】
カメラモジュール１００には、ホルダ部材１０１の一方側にベース部材１４０が組み付けられる。ベース部材１４０には、開口部１４１が形成されて、遠赤外線を遮蔽するカットフィルタ１４２が組み付けられる。ベース部材１４０には、開口部１４１の底面側を閉塞するようにして配線基板１４２が組み付けられる。配線基板１４２は、外周部位をベース部材１４０の底面側の開口縁に接着剤によって接合される。配線基板１４２には、適宜の回路パターンが形成されるとともに、ＣＭＯＳ素子１４３が実装されている。ＣＭＯＳ素子１４３は、ベース部材１４０と配線基板１４２とにより開口部１４１内に密閉された状態で設けられる。ＣＭＯＳ素子１４３は、その中心が開口部１４１の中心軸と一致されるように位置決めされている。
【０００６】
カメラモジュール１００は、図６に示すように、レンズユニット１２０が、レンズ鏡筒１２１と、このレンズ鏡筒１２１内に収納される第１レンズ１２２及び第２レンズ１２３と、ストッパリング１２４とから構成される。レンズユニット１２０は、レンズ鏡筒１２１が、上面の中心位置に所定の孔径を有するレンズ孔が形成されるとともに、内部にレンズ孔よりも大径でありかつ中心軸を一致させて底面側に開口するレンズ組み付け空間部が形成されている。レンズユニット１２０は、レンズ鏡筒１２１の内部空間部に２個のレンズ１２２、１２３を光軸を一致させて収納し、これらレンズ１２１、１２２をストッパリング１２４によって固定する。
【０００７】
カメラモジュール１００は、レンズ駆動機構１３０が、レンズ鏡筒１２１の外周部に形成した外周ねじにねじ合わせされることにより組み合わされる駆動リング部材１３１や、この駆動リング部材１３１に固定された駆動レバー部材１３２によって構成される。レンズ駆動機構１３０は、駆動レバー部材１３２が適宜のレンズ駆動手段によって揺動されることにより駆動リング部材１３１を回転駆動させ、この駆動リング部材１３１を介してレンズ鏡筒１２１を光軸方向（フォーカス方向）に移動させる。
【０００８】
駆動リング部材１３１は円筒状の本体部周回りに外周フランジ部が一体に形成され、本体部の内孔に形成した内周ねじにレンズ鏡筒２５の外周部に形成した外周ねじをねじこませることによって組み合わす。駆動リング部材１３１には、外周フランジ部が後述するホルダ部材３によって外周部を保持されて光軸方向に移動自在に組み合わされる。
【０００９】
駆動リング部材１３１は、外周フランジ部の上面に対して後述するカバー部材１０２から光軸方向の弾性力が作用され、この弾性力によりホルダ部材１０１側へと付勢される。駆動リング部材１３１は、ホルダ部材１０１との間に駆動レバー部材１３２が配置されており、フォーカス調整操作が行われると外周フランジ部の底面上を駆動レバー部材１３２が摺擦回動する。
【００１０】
駆動リング部材１３１には、外周フランジ部の底面にカム凹部が形成されており、このカム凹部の深さ範囲で、駆動レバー部材１３２によって光軸方向に対して移動動作される。駆動レバー部材１３２は、リング部とその外周部に突出されたレバー部とから構成され、リング部の上面に、円周方向に対して互いに等間隔に位置してカム凸部が一体に形成されている。
【００１１】
駆動レバー部材１３２は、レバー部を操作することによってホルダ部材１０１に保持されて回動される。駆動レバー部材１３２には、上述したようにリング部の上面に駆動リング部材１３１の外周フランジ部が当接することで、この外周フランジ部の底面上をカム凸部が摺擦する。駆動レバー部材１３２は、ホルダ部材１０１に組み付けられた状態で、レバー部が、外方へと突出する。駆動レバー部材１３２は、ホルダ部材１０１から突出したレバー部の先端部が自動或いは手動による適宜のフォーカス調整操作部と連結されている。
【００１２】
駆動レバー部材１３２は、フォーカス調整操作部が操作されると、レバー部が揺動動作されることでホルダ部材１０１に保持されたリング部の回動動作が行われ、駆動リング部材１３１、換言すればレンズユニット１２０を下方に下げた第１位置とレンズユニット１２０を上方へと押し上げた第２位置とに切換操作する。駆動レバー部材１３２は、カム凸部が駆動リング部材１３１の外周フランジ部の底面上に位置している状態では、カム凸部の高さ分駆動リング部材１３１を上方へと押し上げている。駆動レバー部材１３２は、フォーカス調整操作によりカム凸部がカム凹部と対向する位置まで移動されることで相対係合して、駆動リング部材１３１をカム凹部の深さ分下方へと移動動作させる。
【００１３】
カメラモジュール１００は、ホルダ部材１０１が例えばプラスチック成型品であり、図８に示すように所定の厚みを有する矩形のブロック状を呈している。ホルダ部材１０１には、本体部１０３に厚み方向に貫通してレンズユニット組み付け開口１０４が形成されている。ホルダ部材１０１は、レンズユニット組み付け開口１０４の内部に、上述したレンズユニット１２０のレンズ鏡筒１２１を軸方向（光軸方向）に移動自在に組み合わせて保持する。
【００１４】
ホルダ部材１０１には、同図８（ａ）に示すように本体部１０３の一方主面（前面）１０３Ａの四隅に位置して、それぞれ軸方向に突出する脚部１０５が一体に形成されている。各脚部１０５には、内周面にガイド段部１０６が形成されており、これらガイド段部１０６に外周部をガイドされて上述したレンズ駆動機構１３０の駆動リング部材１３１をホルダ部材１０１内に回転自在に組み合わせる。ホルダ部材１０１は、図８（ｂ）に示す他方主面（背面）１０３Ｂ側を組み合わせ面として上述したベース部材１４０に組み合わされて接着剤によって接合固定される。
【００１５】
カバー部材１０２は、弾性を有する金属薄板にプレス加工を施して形成され、図９に示すようにホルダ部材１０１の本体部１０３とほぼ等しい外形寸法とされた矩形の受け板部１０６に、レンズユニット組み付け開口１０４とほぼ同径のレンズ開口１０７が形成されている。カバー部材１０２には、受け板部１０６に、四隅に対向するガイド開口１０７の開口縁からレンズユニット押圧片１０８が一体に突出形成されている。
【００１６】
各レンズユニット押圧片１０８は、先端部が背面側に向かって折曲されて形成されており、カバー部材１０２がホルダ部材１０１に組み合わされた状態でそれぞれ駆動リング部材１３１をホルダ部材１０１側へと押圧する。カバー部材１０２には、受け板部１０６の四隅に位置して、それぞれ軸方向に突出する係合片１０９が一体に形成されている。各係合片１０９は、ホルダ部材１０１の脚部１０５とほぼ同長とされ、先端部を内方に折曲してそれぞれ係合部１１０を一体に形成している。
【００１７】
カバー部材１０２は、図７に示すようにホルダ部材１０１の前面側に組み合わせ、同図に図示しないが内部に上述したレンズユニット組み付け開口１０４内にレンズユニット１２０やレンズ駆動機構１３０或いはベース部材１４０等を組み付ける。カバー部材１０２は、各係合片１０９が外方へと押し広げられてホルダ部材１０１に組み合わされる。カバー部材１０２は、各係合片１０９の先端部に形成した係合部１１０が背面１０３Ｂに係合して当接することにより、ホルダ部材１０１に一体化される。
【００１８】
カメラモジュール１００は、カバー部材１０２が各係合片１０９を介してホルダ部材１０１に対する組み合わせ状態を保持され、カバー部材１０２の各レンズユニット押圧片１０８が駆動リング部材１３１をホルダ部材１０１側へと押圧する。カメラモジュール１００は、各レンズユニット押圧片１０８からの弾性力を駆動リング部材１３１に作用させることにより、この駆動リング部材１３１や駆動レバー部材１３２或いはレンズユニット１２０にガタ付きを生じさせることなく安定した状態に保持させる。
【発明の開示】
【発明が解決しようとする課題】
【００１９】
ところで、上述したカメラモジュール１００においては、各係合片１０９を押し広げながらカバー部材１０２をホルダ部材１０１に押し込むことによって組み合わせが行われるが、各係合片１０９の押し広げ力とカバー部材１０２の押し込み力とが同時に必要となり作業が面倒であった。カメラモジュール１００においては、カバー部材１０２が、各係合片１０９の各係合部１１０をホルダ部材１０１の外周面に乗り上げさせるように押し広げることから、枠状の受け板部１０６や各係合片１０９に大きな応力が生じて変形してしまうことがあった。
【００２０】
カメラモジュール１００においては、カバー部材１０２が、受け板部１０６の変形により各レンズユニット押圧片１０８が駆動リング部材１３１に対して均一な押圧力を作用させ得なくなる。カメラモジュール１００においては、カバー部材１０２が、各係合片１０９や係合部１１０の変形によりホルダ部材１０１との組み合わせが強固に保持し得なくなり、またガタ付きが生じてしまう。
【００２１】
また、カメラモジュール１００においては、駆動リング部材１３１がホルダ部材１０１のレンズユニット組み付け開口１０４内において円滑に回転されるために、円周方向の各位置において各レンズユニット押圧片１０８から均一な弾性力を負荷される必要がある。カメラモジュール１００においては、このためにカバー部材１０２が高精度に形成されなければならなかった。
【００２２】
カメラモジュール１００においては、上述したように弾性を有する金属薄板にプレス加工を施してカバー部材１０２を形成するが、受け板部１０６の面精度、各レンズユニット押圧片１０８や各係合片１０９の寸法或いは折曲角度の精度等が厳しく要求されるためにプレス加工の効率或いは歩留りが悪くなるといった問題があった。
【００２３】
カメラモジュール１００においては、カバー部材１０２がホルダ部材１０１との組み合わせ状態が機械的に保持されるとともに駆動リング部材１３１に対して所定の弾性力を作用させるために、ある程度の厚みを有する材料の金属薄板が用いられる。カメラモジュール１００においては、このためにカバー部材１０２の加工効率が悪くなるとともに小型、薄型化或いは軽量化の達成が困難となるといった問題があった。
【００２４】
したがって、本発明は、上述した従来の問題を解決して、カバー部材の加工性や組立性の向上を図るとともにレンズ駆動機構が安定して動作されるようにして小型、薄型化と軽量化を実現するカメラモジュールを提供することを目的とする。
【課題を解決するための手段】
【００２５】
上述した目的を達成する本発明にかかるカメラモジュールは、レンズユニットと駆動リング部材と駆動レバー部材とホルダ部材とベース部材とカバー部材とを備える。カメラモジュールは、駆動リング部材が、レンズユニットを組み付ける筒状部と、この筒状部の外周部に一体に形成されたフランジ部とから構成される。
【００２６】
カメラモジュールは、駆動レバー部材が、駆動リング部材の本体部に組み合わされてこの駆動リング部材を回動させるリング部と、このリング部から一体に突出されてレンズ駆動手段と連結されるレバー部とから構成され、レンズユニットをレンズの光軸方向に移動させてフォーカス調整を行う。
【００２７】
カメラモジュールは、ホルダ部材が、レンズユニットを光軸方向に移動自在に収納するレンズユニット組み付け開口が厚み方向に貫通して形成されるとともに駆動レバー部材のリング部を回動自在に支持する本体部と、この本体部の一方主面側に所定の高さを以って一体に形成されるとともに外周部に係合凸部が形成された複数個の間隔保持部とからなる。カメラモジュールは、ホルダ部材のレンズユニット組み付け開口内に光軸方向に移動自在に支持されたレンズユニットが、本体部に支持されて回転動作する駆動レバー部材によって光軸方向に移動して所定のフォーカス調整を行う。
【００２８】
カメラモジュールは、開口ホルダ部材の他方主面側を接着剤等により接合固定するベース部材が、レンズユニットのレンズ群と同一光軸の開口を形成されるとともに、この開口の内部に固体撮像素子を収納する。カメラモジュールは、レンズユニットを介して固体撮像素子に画像を結像させ、この固体撮像素子から画像に基づく画像信号を得る。
【００２９】
カメラモジュールは、カバー部材が、金属薄板等の弾性材によって形成され、レンズユニットを外方に臨ませる開口部が形成された枠状の受け面部にそれぞれ一体に形成された複数個の係合片と押圧片とを有する。カバー部材は、各係合片が、受け面部の各コーナ部に位置して軸方向に折曲形成され、先端部にそれぞれホルダ部材の各係合凸部に対応して係合開口部が形成される。カバー部材は、各押圧片が、開口部の開口縁から内方に向かって一体に突出形成され、フランジ部に当接される。
【００３０】
カメラモジュールにおいては、カバー部材が、レンズユニットや駆動リング部材及び駆動レバー部材を組み付けたホルダ部材に押し込まれることによって、各フック片の係合開口部が相対する係合凸部をそれぞれ係合させて一体化される。カメラモジュールにおいては、カバー部材の各押圧片が駆動リング部材のフランジ部に当接することによって、駆動リング部材を介してレンズユニットをホルダ部材側に付勢して保持する。
【００３１】
カメラモジュールにおいては、カバー部材をホルダ部材に組み合わせる際に、各フック片をその厚み分外方に押し広げればよく、カバー部材の受け面部や各フック片に大きな応力が生じることは無い。したがって、カメラモジュールにおいては、ホルダ部材に対するカバー部材の組み合わせが効率よく行われるとともに、組み合わせ状態が各自に保持されガタ付きも生じることは無い。カメラモジュールにおいては、カバー部材が、各押圧片によって駆動リング部材の外周フランジ部を円周方向において均等に押圧することで円滑な動作が行われるようにする。
【００３２】
カメラモジュールは、カバー部材に、受け面部の外周縁から一体に折曲形成されて各フック片の外側面に当接する変形防止片を設けるようにしてもよい。カメラモジュールにおいては、各フック片の係合開口部に係合凸部を係合させてカバー部材をホルダ部材に組み付けた状態で、各変形防止片が相対する各フック片の変形を防止して係合凸部からの外れ現象の発生を防止してホルダ部材に対するカバー部材の組み合わせ状態が確実に保持されるようにする。
【００３３】
カメラモジュールは、カバー部材の受け面部の各辺にフック片と隣り合うようにして外周縁からそれぞれ折曲されて位置決め片を形成してもよい。カメラモジュールは、全体枠状に形成されたカバー部材の受け面部が位置決め片によって機械的剛性が向上されることから、薄厚化が図られるようになる。カメラモジュールは、カバー部材が、フック片と位置決め片とによってホルダ部材に対する組み付け状態が強固に保持されるとともにガタ付き等の発生も防止されるようになる。カメラモジュールは、カバー部材の変形によるホルダ部材からの脱落や駆動リング部材の均等押圧機能が保持されるようになる。
【００３４】
カメラモジュールは、レンズユニットが、複数のレンズと、これらレンズを収納するとともに外周部に外周ねじが形成されたレンズ鏡筒とから構成される。カメラモジュールは、外周ねじを、駆動リング部材の前記筒状部の内周部に形成した内周ねじにねじ合わされることによって組み付けられる。
【発明の効果】
【００３５】
本発明にかかるカメラモジュールによれば、高精度の加工を不要として小型、薄型化或いは軽量化が図られたカバー部材がホルダ部材に対して効率よく組み合わせが行われてコスト低減が図られるようになる。本発明にかかるカメラモジュールによれば、ホルダ部材への組み合わせ時にカバー部材の各部に変形等の発生が防止されることで、カバー部材のホルダ部材からの脱落が防止されるとともに、レンズユニットの駆動機構が円滑に動作することを可能とする。
【発明を実施するための最良の形態】
【００３６】
以下、本発明の実施の形態として示すカメラモジュール１について、図面を参照して詳細に説明する。カメラモジュール１は、例えば携帯電話機等の小型電子機器に搭載され、通常撮影とマクロズーム撮影との切り替え操作が行われて画像を撮像する機能を有する。カメラモジュール１は、図１乃至図３に示すように、ベース部材２にホルダ部材３が積層状態で固定され、ホルダ部材３にカバー部材４を組み合わせて外装体を構成し、この外装体の内部にレンズユニット５やレンズ駆動機構６が内蔵される。なお、以下の説明において、図２矢印で示す方向を高さ方向として、ベース部材２側を下方、カバー部材４側を上方と称するものとする。
【００３７】
カメラモジュール１は、ベース部材２を介して、図示しない本体機器の配線基板等に実装される。ベース部材２は、図３に示すように、合成樹脂材によってやや厚みを有する略正方形状を呈するブロック体として成形されており、厚み方向に貫通して開口部７が形成されている。開口部７は、詳細には第１主面２Ａに開口する円形開口部位と、この円形開口部位の下方部において受け段差を構成して連通する小開口寸法の第１矩形開口部位と、さらに受け段差を構成して介して第１矩形開口部位と連通する小開口寸法の第２矩形開口部位とからなる。開口部７には、上述した第１矩形開口部位と第２矩形開口部位との間に構成された受け段差に外周部を支持されて、遠赤外線を遮蔽するカットフィルタ８が組み付けられる。
【００３８】
ベース部材２には、第１主面２Ａの各コーナ部に位置して、それぞれ略円弧状の嵌合凹部９が形成されている。嵌合凹部９には、後述するようにベース部材２上に接合固定されるホルダ部材３の相対するスタッド凸部２３が嵌合される。嵌合凹部９は、円弧状とされることによって、スタッド凸部２３が位置合わせされてベース部材２にホルダ部材３が組み合わされるようにする。ベース部材２には、嵌合凹部９に囲まれたコーナ部に段落ち部１０が形成されている。段落ち部１０は、カメラモジュール１を本体機器の配線基板に実装する際に、治具等を差し込んで押さえ付ける部位として機能する。
【００３９】
ベース部材２には、図１に示すように開口部７の底面側を閉塞するようにして配線基板１１が組み付けられる。配線基板１１は、外周部位をベース部材２の底面側の開口縁に接着剤によって接合される。配線基板１１には、詳細を省略するが適宜の回路パターンが形成されるとともに、ＣＭＯＳ素子１２が実装されている。ＣＭＯＳ素子１２は、ベース部材２と配線基板１１とにより開口部７内に密閉された状態で設けられる。ＣＭＯＳ素子１２は、その中心が開口部７の中心軸と一致されるように位置決めされている。
【００４０】
ホルダ部材３は、図５に示すように合成樹脂材によって一体に形成され、レンズユニット組み付け開口部１４が形成された本体部１３と、この本体部１３の底面側に一体に形成されたレンズユニット組み付け筒部１５と、本体部１３の上面側の各コーナ部に一体に突設された４個の間隔保持部１６Ａ〜１６Ｄ（以下、個別に説明する場合を除いて間隔保持部１６と総称する。）とから構成される。
【００４１】
ホルダ部材３は、本体部１３がやや厚みを有してベース部材２の外形寸法とほぼ等しい外形寸法をする略正方形状のブロック状を呈し、レンズユニット組み付け筒部１５の外周部にフランジ状に突出形成される。ホルダ部材３には、ベース部材２の開口部７の円形開口部位とほぼ同径とされた断面円形のレンズユニット組み付け開口部１４が、本体部１３とレンズユニット組み付け筒部１５を貫通して形成されている。
【００４２】
レンズユニット組み付け開口部１４は、後述するようにフォーカス調整操作によって光軸方向に移動されるレンズユニット５を移動方向の全長に亘って保持する軸長を有している。レンズユニット組み付け筒部１５は、レンズユニット組み付け開口部１４を構成する内周壁が円滑面とされ、光軸方向に移動されるレンズユニット５の外周部を保持する。
【００４３】
本体部１３には、図５（ａ）に示すように、上面１３Ａの各コーナ部に位置してそれぞれ間隔保持部１６が一体に形成されている。各間隔保持部１６は、断面が略二等辺三角形状を呈する柱状の部位であり、フォーカス調整操作されるレンズユニット５の最大移動量とほぼ等しい高さを有している。各間隔保持部１６は、それぞれの内面がレンズ駆動機構６を構成する後述する駆動リング部材３１を光軸方向に対して移動自在に支持するとともに、駆動レバー部材３２の外周部を回転自在に支持する支持部を構成する。
【００４４】
各間隔保持部１６は、それぞれの内面が駆動リング部材３１及び駆動レバー部材３２の外周部の曲率とほぼ等しい曲率を有する円弧状の曲面に形成されている。各間隔保持部１６には、内面の基端部位を全域に亘って内方へと突出させることによってそれぞれ受け段部１７Ａ〜１７Ｄ（以下、個別に説明する場合を除いて受け段部１７と総称する。）が形成されている。
【００４５】
ホルダ部材３は、各間隔保持部１６が、内面の上方部位において構成する円周の直径を駆動リング部材３１の直径とほぼ同等とされるとともに、基端部位の受け段部１７の内面によって構成する円周の直径が駆動レバー部材３２の直径よりもやや小径とされる。ホルダ部材３は、各間隔保持部１６の受け段部１７上に駆動リング部材３１を光軸方向に移動自在に支持する。ホルダ部材３は、詳細を後述するように本体部１３の上面１３Ａと対向するようにして駆動レバー部材３２を各間隔保持部１６によって構成される空間部に回動自在に支持する。
【００４６】
各間隔保持部１６には、内面に、受け段部１７を底部として高さ方向に開放されたガイド溝１８（以下、個別に説明する場合を除いてガイド溝１８と総称する。）がそれぞれ形成されている。各ガイド溝１８は、後述するレンズ駆動機構６を構成する駆動リング部材３１のガイド凸部３６がそれぞれ嵌合され、フォーカス調整操作に際してこの駆動リング部材３１を光軸方向に対して直線移動させるガイド機能を奏する。
【００４７】
各間隔保持部１６には、それぞれ外側面に係合凸部１９Ａ〜１９Ｄ（以下、個別に説明する場合を除いて係合凸部１９と総称する。）が形成されている。係合凸部１９は、間隔保持部１６の上端縁から所定の高さ位置にそれぞれ突出形成された高さ方向（光軸方向）の矩形凸部からなる。係合凸部１９は、上端面２０が下方に向かって次第に突出寸法を大きくする傾斜面として構成され、下端面２１が本体部１３の底面１３Ｂと面一とされた垂直面として構成された略楔状の凸部からなる。
【００４８】
なお、間隔保持部１６Ａには、図５（ａ）に示すように直角部位の上端縁から面取り２２が形成されている。面取り２２は、組み立て工程に際して、ホルダ部材３を所定の向きに配置して他の構成部材を組み立てるための目印となる機能を奏する。
【００４９】
ホルダ部材３には、本体部１３の各コーナ部と対向する位置であり、底面１３Ｂとレンズユニット組み付け筒部１５の外周部とに跨ってスタッド凸部２３Ａ〜２３Ｄ（以下、個別に説明する場合を除いてスタッド凸部２３と総称する。）が形成されている。スタッド凸部２３は、レンズユニット組み付け筒部１５の軸長よりもやや低い高さに形成され、図５（ｂ）に示すようにコーナと対向する側面部位に高さ方向の全域に亘って逃げ凹部を形成して上述したベース部材２の嵌合凹部９の開口形状とほぼ等しい円弧状断面に形成される。
【００５０】
各スタッド凸部２３には、下端面に円周方向に離間してそれぞれ一対のダボ２４Ａ、２４Ｂが一体に形成されている。これらダボ２４Ａ、２４Ｂは、ホルダ部材３がベース部材２に組み合わされる際に、ベース部材２の嵌合凹部９に形成した詳細を省略する嵌合孔にそれぞれ嵌合される。
【００５１】
以上のように構成されたホルダ部材３は、ベース部材２の主面２Ａ上に、各スタッド凸部２３を相対する嵌合凹部９にそれぞれ嵌合させて組み合わされる。ホルダ部材３は、各スタッド凸部２３が嵌合凹部９に嵌合された状態で、レンズユニット組み付け筒部１５の下端縁がベース部材２の主面２Ａ上に突き当てられる。ホルダ部材３は、レンズユニット組み付け筒部１５の下端縁の全周と、各スタッド凸部２３の底面及び各ダボ２４が接着剤によって主面２Ａ上に接合固定されることによって、ベース部材２に組み合わされる。
【００５２】
上述したホルダ部材３には、レンズユニット５とレンズ駆動機構６が組み合わされる。レンズユニット５は、図３に示すようにレンズ鏡筒２５と、このレンズ鏡筒２５内に収納される第１レンズ２６及び第２レンズ２７と、ストッパリング２８とから構成される。レンズ鏡筒２５は、合成樹脂材によってホルダ部材３のレンズユニット組み付け開口部１４の内径とほぼ同径とされた全体有底筒状に形成される。レンズ鏡筒２５は、上面２５Ａの中心位置に所定の孔径を有するレンズ孔２９が形成されるとともに、詳細を省略するが内部にレンズ孔２９よりも大径でありかつ中心軸を一致させて底面側に開口するレンズ組み付け空間部が形成されている。
【００５３】
レンズ鏡筒２５には、外周面に、下端部から所定の高さ位置に亘って外周ねじ３０が形成されており、後述する駆動リング部材３１がねじ込まれて一体化される。レンズ鏡筒２５には、上面２５Ａに略正方形状の段部が形成されるとともに、外周縁の略対向する位置に接着剤の充填用切り欠き部が外周面に跨って形成されている。レンズ鏡筒２５は、これらの構造が駆動リング部材３１をねじ込む際の治具押さえ部を構成する。
【００５４】
レンズ鏡筒２５には、図示を省略するがレンズ組み付け空間部を構成する内周壁に、第１レンズ２６と第２レンズ２７とをそれぞれ光軸方向に対して位置決めして収納するための位置決め用段部が形成されている。
【００５５】
第１レンズ２６と第２レンズ２７は、詳細を省略するがそれぞれ所定のレンズを両面にレンズ開口を形成した合成樹脂製のレンズホルダ２６Ａ、２７Ａに封装してなる。第１レンズ２６と第２レンズ２７は、レンズホルダ２６Ａ、２７Ａの外径がレンズ鏡筒２５のレンズ組み付け空間部に形成した位置決め用段部よりも小径とされることによって、レンズ組み付け空間部の所定位置で係止されて組み付けられる。
【００５６】
ストッパリング２８は、合成樹脂材によってレンズ鏡筒２５のレンズ組み付け空間部の内径とほぼ等しい外径を有し、第１レンズ２６及び第２レンズ２７及びストッパリング２８の光軸と一致された開口部が形成されたリング状を呈している。
【００５７】
レンズユニット５は、レンズ鏡筒２５に対してその下方側の開口部からレンズ組み付け空間部内に第１レンズ２６と第２レンズ２７とがこの順で組み付けられる。レンズユニット５は、レンズ組み付け空間部内にストッパリング２８が軽圧入され、このストッパリング２８によって第１レンズ２６と第２レンズ２７とが位置決め用段部に押し付けられてレンズ組み付け空間部内に固定されて収納される。
【００５８】
レンズユニット５は、レンズ駆動機構６を介してホルダ部材３に組み合わされるとともに、このレンズ駆動機構６によって光軸方向に対して移動操作される。レンズ駆動機構６は、レンズユニット５のレンズ鏡筒２５に組み付けられて一体化される駆動リング部材３１と、ホルダ部材３に回転自在に組み合わされて駆動リング部材３１を介してレンズユニット５を光軸方向に移動させる駆動レバー部材３２とによって構成される。
【００５９】
駆動リング部材３１は、図３に示すように合成樹脂材によって全体円筒状に形成された本体部３３と、この本体部３３の上端部の周回りに一体に突出形成された外周フランジ部３４とから構成される。駆動リング部材３１は、本体部３３の内孔がレンズユニット５のレンズ鏡筒２５の外径とほぼ等しくされ、全長に亘って内周ねじ３５が形成されている。駆動リング部材３１には、外周フランジ部３４側からレンズ鏡筒２５がその外周ねじ３０を内周ねじ３５にねじ込ませることによって組み合わされる。
【００６０】
レンズ鏡筒２５は、上面２５Ａの外周部を適宜の治具によって保持しながら光軸方向に対して所定の位置まで駆動リング部材３１にねじ込まれる。レンズユニット５は、駆動リング部材３１に対するレンズ鏡筒２５のねじ込み位置によって所定のフォーカス調整を行い、この位置で外周部に形成した切り欠き部に接着剤を充填することによってレンズ鏡筒２５と駆動リング部材３１とが接合固定されるようにする。
【００６１】
駆動リング部材３１には、レンズ鏡筒２５の外径よりも大径であり、上述したようにホルダ部材３の間隔保持部１６の内面によって構成される円周とほぼ同径の外周フランジ部３４が一体に形成されている。外周フランジ部３４には、外周部にガイド凸部３６Ａ〜３６Ｄ（以下、個別に説明する場合を除いてガイド凸部３６と総称する。）が形成されており、これらガイド凸部３６が間隔保持部１６に形成したガイド溝１８に相対係合されることによって駆動リング部材３１がホルダ部材３に対して光軸方向に移動自在に組み合わされる。
【００６２】
駆動リング部材３１は、後述するように外周フランジ部３４の上面に対してカバー部材４から光軸方向の弾性力が作用され、この弾性力によりホルダ部材３側へと付勢される。駆動リング部材３１は、ホルダ部材３との間に駆動レバー部材３２が配置されており、後述するようにフォーカス調整操作が行われると外周フランジ部３４の底面上を駆動レバー部材３２のリング部３７が摺擦する。
【００６３】
外周フランジ部３４には、図示しないがその底面の各ガイド凸部３６に対応する位置にそれぞれカム凹部が形成されている。各カム凹部は、円周方向の両側壁が底部に向かって次第に小幅とされることによって略台形凹部として構成される。外周フランジ部３４は、各カム凹部間の領域が平坦面として構成されている。駆動リング部材３１は、カム凹部の高さ範囲で、駆動レバー部材３２によって光軸方向に対して移動動作される。
【００６４】
駆動レバー部材３２は、図３に示すように合成樹脂材によって一体に形成されたリング部３７と、レバー部３８とから構成される。リング部３７は、駆動リング部材３１の本体部３３とほぼ等しい内径を有するとともに外周フランジ部３４とほぼ等しい外径を有して形成される。リング部３７は、上述したホルダ部材３の間隔保持部１６に形成した受け段部１７の高さとほぼ等しい厚みと、各受け段部１７によって構成する円周の内径とほぼ等しい外径を有して形成される。
【００６５】
駆動レバー部材３２には、リング部３７の上面に、円周方向に対して互いに等間隔に位置してカム凸部３９Ａ〜３９Ｄ（以下、個別に説明する場合を除いてカム凸部３９と総称する。）が一体に形成されている。各カム凸部３９は、詳細を省略するが円周方向に対して円弧状を呈する凸部からなり、上述した駆動リング部材３１側のカム凹部とほぼ等しい長さを有している。
【００６６】
駆動レバー部材３２は、レバー部３８を操作することによってホルダ部材３に保持されて回動される。駆動レバー部材３２には、上述したようにリング部３７の上面に駆動リング部材３１の外周フランジ部３４が当接することで、この外周フランジ部３４の底面上をカム凸部３９が摺擦する。駆動レバー部材３２は、上述した円弧状とされたカム凸部３９の形状により外周フランジ部３４の底面上で引っ掛かりを生じることなく円滑に回動することが可能である。
【００６７】
駆動レバー部材３２には、リング部３７の外周部にレバー部３８が一体に突出されている。レバー部３８は、駆動レバー部材３２がホルダ部材３に組み付けられた状態で、隣り合う間隔保持部１６間から外方へと突出する。レバー部３８には、連結部４０が一体に形成されており、この連結部４０が図示しないリンク機構等を介して自動或いは手動による適宜のフォーカス調整操作部と連結されている。
【００６８】
駆動レバー部材３２は、フォーカス調整操作部が操作されると、連結部４０を介してレバー部３８が図１矢印で示すように左右方向に揺動動作されて、ホルダ部材３に保持されたリング部３７を回動させる。駆動レバー部材３２は、駆動リング部材３１、換言すればレンズユニット５が下方に下げられた第１位置とレンズユニット５を上方へと押し上げた第２位置とに切換操作する。
【００６９】
駆動レバー部材３２は、カム凸部３９が駆動リング部材３１の外周フランジ部３４の底面上に位置している状態では、カム凸部３９の高さ分駆動リング部材３１を上方へと押し上げている。駆動レバー部材３２は、フォーカス調整操作によりカム凸部３９がカム凹部と対向する位置まで移動されることで相対係合して、駆動リング部材３１をカム凹部の深さ分下方へと移動動作させる。
【００７０】
なお、カメラモジュール１においては、フォーカス調整操作によって駆動レバー部材３２が、レバー部３８を３０°の角度範囲で回動するとともに、カム凹部の深さが約０．１３ｍｍに形成されている。したがって、カメラモジュール１においては、レンズユニット５が０．１３ｍｍの範囲で２段階に切換られる。なお、カメラモジュール１においては、駆動リング部材３１の外周フランジ部３４を、各カム凹部間を傾斜カム面で連続させて底面を構成することによって、レンズユニット５を連続して移動させることが可能である。
【００７１】
カメラモジュール１においては、駆動リング部材３１がカバー部材４により駆動レバー部材３２側へと付勢される。カバー部材４は、弾性を有する金属薄板にプレス加工を施して形成する。カバー部材４は、図４に示すように略正方形の受け面部４１と、この受け面部４１の各コーナ部に位置して光方向に折曲形成されたフック片４２Ａ〜４２Ｄ（以下、個別に説明する場合を除いてフック片４２と総称する。）とから構成される。
【００７２】
カバー部材４には、受け面部４１に、レンズユニット５のレンズ孔２９を外方に臨ませる円形の開口部４３が形成されている。開口部４３は、その内径が、レンズ鏡筒２５の外径よりも大径でありかつ駆動リング部材３１の外周フランジ部３４の外径とほぼ同径に形成されている。
【００７３】
カバー部材４には、受け面部４１に、各コーナ部と対向する開口部４３の開口縁に押圧片４４Ａ〜４４Ｄ（以下、個別に説明する場合を除いて押圧片４４と総称する。）が一体に形成されている。各押圧片４４は、開口部４３の開口縁から所定の間隔を以ってコーナ部に向かって形成された一対のスリット４５Ａ、４５Ｂにより切り残された舌片部によって構成され、先端部が下方に向かって折曲されている。
【００７４】
各押圧片４４は、後述するようにカバー部材４がホルダ部材３に組み合わされた状態で、駆動リング部材３１の外周フランジ部３４の上面に突き当てられて弾性変形し、蓄勢した光軸方向の弾性力をこの外周フランジ部３４に作用させる。なお、各押圧片４４には、下面の先端部にいわゆるダボ出し加工によって半球形の凸部が形成されており、この凸部を介して外周フランジ部３４に安定した状態で当接する。
【００７５】
フック片４２は、受け面部４１の各コーナ部を構成する隣り合う２辺の一方側縁にそれぞれ形成した凸片を光軸方向に９０°折曲して形成する。各フック片４２は、ホルダ部材３の各間隔保持部１６と相対して形成されており、各間隔保持部１６とほぼ同長の矩形片からなる。各フック片４２には、受け面部４１から所定の高さに位置してそれぞれ係合開口部４６Ａ〜４６Ｄ（以下、個別に説明する場合を除いて係合開口部４６と総称する。）が形成されている。係合開口部４６は、詳細にはホルダ部材３に形成した係合凸部１９とほぼ同形の縦長矩形の開口部からなり、受け面部４１からの高さ位置がホルダ部材３側の間隔保持部１６の上端から係合凸部１９の高さ位置とほぼ等しく形成されている。
【００７６】
カバー部材４には、受け面部４１の各コーナ部に、各フック片４２を形成した辺と隣り合う辺に位置決め片４７が一体に形成されている。位置決め片４７は、受け面部４１の側縁に形成した凸片を９０°折曲して各フック片４２と直交するようにして形成される。位置決め片４７は、後述するようにカバー部材４をホルダ部材３に組み付けた状態で、フック片４２とによって相対する間隔保持部１６の隣り合う２側面を挟み込むようにする。
【００７７】
位置決め片４７には、フック片４２と対向する側縁から一体に突出されて変形防止片４８Ａ〜４８Ｄ（以下、個別に説明する場合を除いて変形防止片４８と総称する。）が形成されている。変形防止片４８は、図４に示すように位置決め片４７から側方へ突出された凸片を９０°折曲して隣り合うフック片４２の外側面に当接させて構成する。変形防止片４８は、フック片４２を外方から押さえることによって、間隔保持部１６の外側面に組み合わされたフック片４２の変形を防止する。変形防止片４８は、フック片４２の変形を防止することで、係合凸部１９を係合開口部４６に係合させた状態を保持する。
【００７８】
以上のように構成されたカバー部材４は、レンズユニット５やレンズ駆動機構６を組み付けたホルダ部材３に押し込まれて組み付けられる。カバー部材４は、フック片４２と位置決め片４７とが隣り合う側面を挟み込むようにしてホルダ部材３の相対する間隔保持部１６に押し込まれる。カバー部材４は、各フック片４２の係合開口部４６に間隔保持部１６に形成した係合凸部１９がそれぞれ係合されることによって、ホルダ部材３と一体化される。
【００７９】
カバー部材４は、この状態で図１に示すように開口部４３からレンズユニット５のレンズ鏡筒２５の上端部を外方に突出させる。カバー部材４は、図２に示すように各押圧片４４が弾性変位した状態で開口部４３に臨ませられた駆動リング部材３１の外周フランジ部３４の上面を押圧する。カバー部材４は、各押圧片４４に蓄勢された弾性力が駆動リング部材３１を下方へと押圧し、この駆動リング部材３１の外周フランジ部３４を駆動レバー部材３２のリング部３７に圧接させる。
【００８０】
カバー部材４は、上述したホルダ部材３への組み付け操作に際して、各フック片４２をその厚み分外方に押し広げて間隔保持部１６の外側面にあてがうようにする。カバー部材４は、各フック片４２を大きく拡げて間隔保持部１６の外周部に強く押し込むといった操作を不要とする。カバー部材４は、ホルダ部材３に対して効率よく組み付けることが可能となり、組立工程の効率化が図られるようになる。
【００８１】
カバー部材４は、ホルダ部材３への組み付け操作に際して受け面部４１や各フック片４２等に大きな応力が作用されて変形等が生じることを防止されるようになる。カバー部材４は、受け面部４１の変形によって各フック片４にねじれが生じ、係合開口部４６から係合凸部１９が抜け出ることによってホルダ部材３から脱落するといった事態の発生が防止される。カバー部材４は、受け面部４１の変形によって各押圧片４４による駆動リング部材３１の押圧力が円周方向でバラツキを生じ、レンズ駆動機構６が円滑に動作されないといった事態の発生を防止する。
【００８２】
カバー部材４は、上述したように各コーナ部において、各フック片４２と位置決め片４７とによって間隔保持部１６の隣り合う外側面を挟み込むようにすることで、フック部材３にガタ付きを生じることなく強固に組み付けることが可能である。カバー部材４は、各フック片４２が変形防止片４８によって外側面を押さえられることで変形が防止されることから、より薄厚とすることも可能である。
【００８３】
カバー部材４には、受け面部４１の外周縁に、上述した各フック片４２と位置決め片４
７の形成領域を除いて底面側に折曲された補強リブ壁４９が全周に亘って形成される。カバー部材４は、かかる補強リブ壁４９によって受け面部４１機械的剛性が向上する。したがって、カバー部材４は、より薄厚の金属薄板を素材にして形成することも可能であり、材料コストの低減や薄型化が図られるようになる。
【００８４】
カバー部材４は、上述したように金属薄板を素材として形成され、ホルダ部材３を被覆するようにして組み付けられる。したがって、カバー部材４は、ホルダ部材３を介してベース部材２に組み付けられた基板１１やＣＭＯＳ素子１２を被覆することから、これら電気的部位の電磁波を遮蔽する電磁波遮蔽機能も奏する。
【００８５】
以下、実施の形態として示したカメラモジュール１の組み立て手順について説明する。
［１］レンズ鏡筒２５内に、第１レンズ２６と第２レンズ２７とを組み付けてストッパリング２８によって固定して、レンズユニット５を構成する。
［２］レンズ鏡筒２５の外周部に駆動リング部材３１をねじ込むとともに、駆動リング部材３１の本体部３３に駆動レバー部材３２のリング部３７を嵌め合わせてレンズ駆動機構６を構成する。
［３］駆動レバー部材３２のリング部３７をホルダ部材３の各間隔保持部１６の受け段部１７によって構成した円周内に支持させるとともに、駆動リング部材３１の本体部３３の外周部を各間隔保持部１６の内面によって構成した円周内に支持させて、レンズユニット５をホルダ部材３に組み合わせる。
［４］カットフィルタ８やＣＭＯＳ素子１２を搭載した基板１１を組み付けたベース部材２に対して、ホルダ部材３を組み付ける。
［５］ホルダ部材３に対してカバー部材４を組み付ける。
【００８６】
なお、カメラモジュール１は、かかる組み立て手順に限定されるものでは無いことは勿論である。また、各組立手順においては、上述したように位置決め操作や調整操作或いは接着剤による固定処理等も適宜実施されるが、詳細については省略する。カメラモジュール１は、上述した手順を経て携帯電話機等の小型電子機器に搭載された場合でもスペースをできるだけ占有しないように、例えば、縦６ｍｍ、横６ｍｍ、高さ４．５ｍｍの外形寸法によって構成される。
【００８７】
カメラモジュール１は、駆動リング部材３１の外周フランジ部３４に形成したカム凹部に駆動レバー部材３２のリング部３７に形成したカム凸部３９が相対係合してレンズユニット５がホルダ部材３側に引き込んだ状態が標準仕様とされる。カメラモジュール１は、駆動レバー部材３２のレバー部３８を操作してカム凸部３９をカム凹部から外周フランジ部３４の底面に乗り上げさせることによってレンズユニット５をカバー部材４から大きく突出させてマクロズーム撮影仕様とする（４ｃｍフォーカス位置）。
【００８８】
カメラモジュール１においては、レンズ鏡筒２５に対する駆動リング部材３１の固定位置によって、レンズユニット５の位置調整が行われる。したがって、カメラモジュール１においては、組立時に好適なネジピッチを使用して、標準撮影仕様のレンズユニット５のフォーカス調整を行うことが可能である。
【図面の簡単な説明】
【００８９】
【図１】実施の形態として示すカメラモジュールの斜視図である。
【図２】同カメラモジュールの平面図である。
【図３】同カメラモジュールの分解斜視図である。
【図４】同カメラモジュールに備えられるカバー部材であり、同図（ａ）は上面側の斜視図、同図（ｂ）は底面側の斜視図である。
【図５】同カメラモジュールに備えられるホルダ部材であり、同図（ａ）は上面側の斜視図、同図（ｂ）は底面側の斜視図である。
【図６】従来のカメラモジュールの分解斜視図である。
【図７】同カメラモジュールに備えられるホルダ部材の平面図である。
【図８】同カメラモジュールに備えられるホルダ部材であり、同図（ａ）は上面側の斜視図、同図（ｂ）は底面側の斜視図である。
【図９】同カメラモジュールに備えられるカバー部材であり、同図（ａ）は上面側の斜視図、同図（ｂ）は底面側の斜視図である。
【符号の説明】
【００９０】
１        カメラモジュール
２        ベース部材
３        ホルダ部材
４        カバー部材
５        レンズユニット
６        レンズ駆動機構
１１      基板
１２      ＣＭＯＳ素子
１３      本体部
１４      レンズユニット組み付け開口部
１５      レンズユニット組み付け筒部
１６      間隔保持部
１９      係合凸部
２５      レンズ鏡筒
２６      第１レンズ
２７      第２レンズ
２８      ストッパレンズ
３１      駆動リング部材
３２      駆動レバー部材
３３      本体部
３４      外周フランジ部
３７      リング部
３８      レバー部
４１      受け面部
４２      フック片
４３      開口部
４４      押圧片
４６      係合開口部
４７      位置決め片
４８      変形防止片
４９      補強リブ壁
【図１】
2006284628.tif 000003
【図２】
2006284628.tif 000004
【図３】
2006284628.tif 000005
【図４】
2006284628.tif 000006
【図５】
2006284628.tif 000007
【図６】
2006284628.tif 000008
【図７】
2006284628.tif 000009
【図８】
2006284628.tif 000010
【図９】
2006284628.tif 000011